(57)【要約】【課題】耐久性及び安定性を向上することができる電子装置のスイッチ構造を提供すること。【解決手段】本発明に係る電子装置のスイッチ構造は、少なくとも１つの光電センサ及び１つのローターを備える。光電センサと前記ローターとは、互いに相対して固定され、ローターには、複数のブレードが設けられており、複数のブレードは、ローターの位置決め点に基づいてローターの周縁部にグループ分けして配列され、複数のブレードは、異なる間隔幅で配列され、複数のブレードは、同じサイズを有し、かつ複数のブレードは、ローターの回転に伴って前記光電センサの内部を通過する。【選択図】図２
2014154551.tif 000002
【特許請求の範囲】
【請求項１】
少なくとも１つの光電センサ及び１つのローターを備える電子装置のスイッチ構造であって、前記光電センサと前記ローターとは、互いに相対して固定され、前記ローターには、複数のブレードが設けられており、前記複数のブレードは、前記ローターの位置決め点に基づいて前記ローターの周縁部にグループ分けして配列され、前記複数のブレードは、異なる間隔幅で配列され、前記複数のブレードは、同じサイズを有し、かつ前記複数のブレードは、前記ローターの回転に伴って前記光電センサの内部を通過することを特徴とする電子装置のスイッチ構造。
【請求項２】
前記光電センサは、一方側の側面から内部へ凹んで形成されたスロットを有する直方体であり、前記スロットの両側において、一方側には光ビームを射出するための投射装置が設けられており、他方側には光ビームを受けるための受光装置が設けられていることを特徴とする請求項１に記載の電子装置のスイッチ構造。
【請求項３】
前記複数のブレードは、前記スロットの開口に対応して設けられ、前記複数のブレードは、前記スロット内で回転しながら前記光電センサの光伝導経路を遮断することを特徴とする請求項２に記載の電子装置のスイッチ構造。
【請求項４】
前記位置決め点は、前記ローターの主軸の周面において間隔をあけて設けられた複数の位置決め凹溝であり、前記複数の位置決め凹溝は、前記ローターの周りに設けられた複数の弾性位置決めブロックと協働して、前記ローターを位置決めすることを特徴とする請求項１に記載の電子装置のスイッチ構造。
【請求項５】
前記複数の位置決め凹溝は、前記ローターの主軸の周面において、互いに対して９０度の等角をなすように設けられていることを特徴とする請求項４に記載の電子装置のスイッチ構造。
【請求項６】
グループ分けして配列されている前記複数のブレードにおいて、各グループの２つのブレードの中の１つは、１つの位置決め凹溝に対応して位置することを特徴とする請求項１に記載の電子装置のスイッチ構造。
【請求項７】
同じグループの相隣する２つのブレードの間の間隔は、グループとグループとの間の間隔と異なっており、
かつ同じグループの相隣する２つのブレードの間は、それぞれ第一幅を有し、相隣する異なるグループの間は、それぞれ第二幅を有することを特徴とする請求項１に記載の電子装置のスイッチ構造。
【請求項８】
前記第一幅は、互いに等しく、かつ前記第二幅は、互いに等しく、前記第二幅の値は、第一幅の値の３倍以上であることを特徴とする請求項７に記載の電子装置のスイッチ構造。
【発明の詳細な説明】
【技術分野】
【０００１】
本発明は、電子装置のスイッチ構造に関し、特に対向して配置された光電センサ及びローターブレードを備える電子装置のスイッチ構造に関するものである。
【背景技術】
【０００２】
従来から、一般の電子装置には、ダイヤル式スイッチが使用され、該電子装置の機能をコントロールする。例としては、デジタルカメラにおける撮影モードを切り換えるために使用される機能選択ボタンが挙げられる。このような回転式のダイヤルスイッチ構造は、主に電気ブラシに設けられた異なる導電片とプリント回路基板における異なる位置の接点とを接触させて、電気回路を導通させた後、電気回路の抵抗分圧を介して異なる電圧値を得て、前記異なる電圧値をアナログ信号及びデジタル信号に変換させて、デジタルカメラのプロセッサにより前記信号を処理することで撮影モードを切り換える。
【０００３】
しかし、上記のようなダイヤル式スイッチは、以下の欠点がある。第一に、組み立てる過程において、電気ブラシの導電片は変形し易く、電気回路の接触導通機能に影響を与えるため、不安定な現象が度々発生する。第二に、組み立て過程の環境に対する要求が高いため、塵などがプリント回路基板の接点に落ちることを防止しないと、接触導通の性能及び効果に影響を与える。第三に、電気ブラシとプリント回路基板の接点とが長時間接触して摩擦すると、粉末などが生成され易く、電気ブラシと前記接点との導通性能に影響するおそれがある。第四に、異なる接点がプリント回路基板において大量の設置空間を占用し、プリント回路基板の体積の増大を招くため、コストを上げ、且つ電子製品の小型化にも不利である。従って、電子装置のスイッチ構造の操作時の安定性及び耐久性におけるより一層の改善が必要となる。
【発明の概要】
【発明が解決しようとする課題】
【０００４】
以上の問題点に鑑みて、本発明は、耐久性及び安定性を向上することができる電子装置のスイッチ構造を提供することを目的とする。
【課題を解決するための手段】
【０００５】
上記の課題を解決するために、本発明に係る電子装置のスイッチ構造は、少なくとも１つの光電センサ及び１つのローターを備える。前記光電センサと前記ローターとは、互いに相対して固定され、前記ローターには、複数のブレードが設けられており、前記複数のブレードは、前記ローターの位置決め点に基づいて前記ローターの周縁部にグループ分けして配列され、前記複数のブレードは、異なる間隔幅で配列され、前記複数のブレードは、同じサイズを有し、かつ前記複数のブレードは、前記ローターの回転に伴って前記光電センサの内部を通過する。
【発明の効果】
【０００６】
従来の技術と異なり、本発明は、電子装置のスイッチ構造のローターに複数の位置決め点を設けて、前記位置決め点に基づいて前記ローターの周縁部に複数のブレードをグループ分けして配列させている。これにより、光電センサは、そのスロットを通過する複数のブレード及びブレード間の間隔によって、大小順序の配列が異なっている電位波形を出力して、前記プロセッサを介して処理させる。つまり、本発明は、感応方式によって従来の接触式構造の使用上の欠点を克服して、ダイヤル式スイッチ構造の耐久性及び安定性を効果的に向上することができる。
【図面の簡単な説明】
【０００７】
【図１】本発明の実施形態に係る電子装置のスイッチ構造の分解図である。
【図２】図１に示した電子装置のスイッチ構造を平面視した図である。
【図３】図１に示した電子装置のスイッチ構造のローターが時計回りに回転する時の電位波形図である。
【図４】図１に示した電子装置のスイッチ構造のローターが逆時計回りに回転する時の電位波形図である。
【発明を実施するための形態】
【０００８】
図１に示すように、本発明の実施形態に係る電子装置のスイッチ構造１０は、少なくとも１つの光電センサ１２及び１つのローター１４を備える。光電センサ１２は、直方体であり、且つ一方側の側面から内部へ凹んで形成されたスロット１２２を有する。以下、光電センサ１２の動作原理について簡単に説明する。
【０００９】
スロット１２２の両側において、一方側には光ビームを射出するための投射装置が設けられており、他方側には光ビームを受けるための受光装置が設けられている。前記投射装置が射出した光ビームは前記受光装置により受け取られると、光電センサ１２はそれを感知して第一電位値を生成する。また、前記投射装置が射出した光ビームが遮られて前記受光装置により受け取られない場合、光電センサ１２はそれを感知して第二電位値を生成する。前記第一電位値と前記第二電位値との差異変化の割合及び時間変化の割合によって、アナログメッセージが形成される。前記アナログメッセージは、プロセッサを介してデジタルメッセージに変換される。従って、光電センサ１２は、１種の比例積分コントローラ（PI controller）である。前記比例積分コントローラは、周知の誘導コントローラであるので、ここでの詳しい説明は省略する。
【００１０】
本実施形態において、光電センサ１２及びローター１４は、互いに相対する位置に固定されている。即ち、光電センサ１２及びローター１４の位置は常に変わらない。また、光電センサ１２及びローター１４は、常に相対的な状態に維持されている。ローター１４には、複数のブレード１４２が設けられている。ブレード１４２は、ローター１４の回転に伴って光電センサ１２のスロット１２２を通過する。また、ブレード１４２は、スロット１２２内において光電センサ１２の光伝導経路を通過する。
【００１１】
ローター１４の主軸１４１の周面には、位置決め作用を有する複数の位置決め凹溝１４４が間隔をあけて設けられている。位置決め凹溝１４４は、ローター１４の周りに設けられた弾性位置決めブロック（図示しない）と協働して動作する。複数のブレード１４２は、位置決め凹溝１４４（ローター１４の位置決め点）に基づき、対になってローター１４の周縁部から突出して配列されている。前記弾性位置決めブロックは何れか１つの位置決め凹溝１４４内に係合されると、ローター１４は回転を停止する。ローター１４に対してより大きなトルクを加えて、前記弾性位置決めブロックを弾性変形させた場合、ローター１４は再び回転を開始する。前記弾性位置決めブロックが次の位置決め凹溝１４４内に係合すると、ローター１４は再び回転を停止する。つまり、前記弾性位置決めブロックと位置決め凹溝１４４との協働作用によって、ローター１４を所定の位置に位置決めする。
【００１２】
本実施形態において、位置決め凹溝１４４の数は四つである。四つの位置決め凹溝１４４は、ローター１４の主軸１４１の周面において、互いに対して９０度の等角をなすように設けられている。複数のブレード１４２は、四つの位置決め凹溝１４４に基づいて４組に分けられてローター１４の周縁に配列されている。各組は２つのブレード１４２を含むので、総計で八つのブレード１４２を有する。八つのブレード１４２は、異なる間隔で配列されている。説明を容易にするために、図２において八つのブレード１４２及び相隣する２つのブレード１４２の間の間隔は、アルファベットａ〜ｐの順に従って表示している。中でも、八つのブレード１４２はそれぞれａ、ｃ、ｅ、ｇ、ｉ、ｋ、ｍ及びｏと表示され、相隣する２つのブレード１４２の間の間隔幅はそれぞれｂ、ｄ、ｆ、ｈ、ｊ、ｌ、ｎ及びｐと表示される。また、各組の２つのブレード１４２の中の１つは、１つの位置決め凹溝１４４に対応して位置する。例えば、ａ、ｅ、ｉ、ｍと表示されるブレード１４２は、それぞれ１つの位置決め凹溝１４４に対向している。ローター１４は１つの位置決め凹溝１４４（位置決め点）から次の位置決め凹溝１４４まで回転する過程において、スロット１２２を通過するブレード１４２の数などを確定することができる。また、同じグループの相隣する２つのブレード１４２の間の間隔ｂ、ｆ、ｊ及びｎは、グループとグループとの間の間隔ｄ、ｈ、ｌ及びｐと異なっている。
【００１３】
同じグループの相隣する２つのブレード１４２の間（即ち、ｂ、ｆ、ｊ、ｎ）は、それぞれ第一幅ｗを有する。相隣する異なるグループの間（即ち、ｄ、ｈ、ｌ、ｐ）は、それぞれ第二幅Ｗを有する。ｂ、ｆ、ｊ及びｎの数値（第一幅ｗ）は、互いに等しい。ｄ、ｈ、ｌ及びｐの数値（第二幅Ｗ）は、互いに等しい。第二幅Ｗの値は、第一幅ｗの値の３倍以上である。八つのブレード１４２は、同じ形状及びサイズを有する。各ブレード１４２は、光電センサ１２内の光伝導経路を遮断することができる。具体的には、ローター１４が光電センサ１２のスロット１２２を通過する場合、出力される電位差異変化に関するアナログメッセージが形成される。ブレード１４２が光電センサ１２内の光伝導経路を遮断した場合、光電センサ１２は低電位を出力する。また、前記光伝導経路がブレード１４２間の間隔を通過して受光装置により正常的に受けられた場合、光電センサ１２は高電位を出力する。ローター１４が八つのブレード１４２を連動して時計回りに回転すると、１つの位置決め凹溝１４４から次の１つの位置決め凹溝１４４までに２つの異なる間隔幅（第一幅ｗ及び第二幅Ｗ）があるので、光電センサ１２は２種類の異なるタイミングの高電位波形（図３を参照）を出力する。図３に表わす高電位波形のタイミングは、間隔幅ｐ、ｎ、ｌ、ｊ、ｈ、ｆの順序に従っている。逆に、ローター１４が八つのブレード１４２を連動して逆時計回りに回転すると、光電センサ１２は図４に表わす高電位波形を出力する。図４に表わす高電位波形のタイミングは、間隔幅ｂ、ｄ、ｆ、ｈ、ｊ、ｌの順序に従っている。本発明は、プロセッサを介して、光電センサ１２が出力した電位波形における高電位の大小順序の配列差異に基づいて、ローター１４が時計回りに回転するか又は逆時計回りに回転するかを判断する。
【００１４】
上記の実施形態から分かるように、本発明に係る電子装置のスイッチ構造は、ローター１４において複数の位置決め点を設けて、前記位置決め点に基づいて複数のブレード１４２をグループ分けして配列させている。これにより、光電センサ１２は、そのスロット１２２を通過する複数のブレード１４２及びブレード１４２間の間隔によって、大小順序の配列が異なっている電位波形を出力して、前記プロセッサを介して処理させる。従って、本発明は、従来のダイヤル式スイッチの欠点を克服でき、スイッチ構造１０の耐久性及び安定性を効果的に向上することができる。
【符号の説明】
【００１５】
１０  電子装置のスイッチ構造
１２  光電センサ
１２２  スロット
１４    ローター
１４２  ブレード
１４４  位置決め凹溝
【図１】
2014154551.tif 000003
【図２】
2014154551.tif 000004
【図３】
2014154551.tif 000005
【図４】
2014154551.tif 000006